(57)【要約】  加熱装置１００２では、熱交換器１０８を含む水回路４００に、スケール粒子と親和性に優れた付着体７を収容したスケール捕捉器１０９を設置して、熱交換器１０８から流出した加熱水に含まれるスケール粒子を付着させる。さらに、付着体７を高温状態に保つことで、付着だけでなくスケール粒子を付着体表面で結晶成長させる。すなわち粒径の大きい沈降性の大きなスケール粒子だけでなく、沈降性の小さな微小なスケール粒子についても捕捉する。また、加熱を行わない期間に、水道水供給配管１１１からスケール捕捉器１０９に水道水を供給し、捕捉したスケールを付着体７からスケールを剥離する。そして、剥離後のスケールをスケール排出配管１１２によって水回路４００から排出し、付着体７の捕捉能力を長期にわたって保持する。
2012176325.tif 000002
【特許請求の範囲】
【請求項１】
水を貯めるタンクから熱交換装置に流入して加熱され、前記熱交換装置から流出して前記タンクに戻る途中の加熱水を、スケールを付着する機能を有するスケール付着体が収納された収納容器の内部を通過させて前記タンクに戻すことにより、前記加熱水に含まれるスケールを前記スケール付着体に付着させる付着工程
を備えたことを特徴とするスケール除去方法。
【請求項２】
前記スケール除去方法は、さらに、
前記加熱水の前記収納容器の内部の通過を停止し、スケールが付着した前記スケール付着体からスケールを剥離する剥離工程と、
前記加熱水の前記収納容器の内部の通過が停止しているときに、剥離したスケールを前記収納容器の外部に排出する排出工程と
を備えたことを特徴とする請求項１記載のスケール除去方法。
【請求項３】
前記排出工程は、
前記加熱水とは異なる流体を前記収納容器の内部を通過させて、剥離したスケールを前記収納容器の外部に排出することを特徴とする請求項２記載のスケール除去方法。
【請求項４】
前記剥離工程は、
前記加熱水とは異なる流体を前記収納容器の内部を通過させて、スケールが付着した前記スケール付着体からスケールを剥離することを特徴とする請求項２記載のスケール除去方法。
【請求項５】
前記排出工程は、
剥離したスケールを、前記流体によって、前記収納容器の外部に排出することを特徴とする請求項４記載のスケール除去方法。
【請求項６】
前記剥離工程は、
前記収納容器の内部に配置された剥離機構によって前記スケール付着体に衝撃と、弾性変形との少なくともいずれかを与えることで、スケールが付着した前記スケール付着体からスケールを剥離することを特徴とする請求項２記載のスケール除去方法。
【請求項７】
前記剥離工程は、
前記収納容器の内部に配置された剥離機構によって前記スケール付着体の表面を擦ることで、スケールが付着した前記スケール付着体からスケールを剥離することを特徴とする請求項２記載のスケール除去方法。
【請求項８】
前記スケール除去方法は、さらに、
前記剥離工程で前記スケール付着体から剥離されたスケールを、前記収納容器の内部に形成されたスケール貯留部に貯留する貯留工程を備え、
前記排出工程は、
前記加熱水とは異なる流体を前記収納容器の内部を通過させて、前記スケール貯留部に貯留したスケールを前記収納容器の外部に排出することを特徴とする請求項２記載のスケール除去方法。
【請求項９】
前記剥離工程は、
前記加熱水とは異なる流体を前記収納容器の内部を通過させ、前記流体によって前記収納容器の内部に配置された剥離機構を動作させ、前記剥離機構によって、スケールが付着した前記スケール付着体からスケールを剥離し、
前記排出工程は、
前記剥離機構によって剥離されたスケールを、前記流体によって前記収納容器の外部へ排出することを特徴とする請求項２記載のスケール除去方法。
【請求項１０】
前記付着工程は、
前記収納容器に所定の温度以上の前記加熱水を通過させることで、前記スケール付着体に付着したスケールの成長を助長させることを特徴とする請求項１〜９のいずれかに記載のスケール除去方法。
【請求項１１】
前記収納容器に収納されるスケール付着体は、
粒状、紐状、網状、小片状、繊維状のいずれか、またはこれらの組み合わせであることを特徴とする請求項１〜１０のいずれかに記載のスケール除去方法。
【請求項１２】
前記スケール除去方法は、さらに、
少なくとも前記熱交換装置の内部を通過中の前記加熱水に、脈動を生じさせる脈動工程を備えたことを備えたことを特徴とする請求項１〜１１のいずれかに記載のスケール除去方法。
【請求項１３】
水を貯めるタンクと熱交換装置とが、前記タンクから前記熱交換装置に向かう水が流れる配管と、前記熱交換装置で加熱され前記熱交換装置から流出して前記タンクに向かう加熱水が流れる配管とによって接続された水回路と、
前記タンクに向かう前記加熱水が流れる前記配管の途中に配置されると共にスケールを付着する機能を有するスケール付着体が収納された収納容器であって、前記加熱水を内部を通過させて前記タンクに戻すことにより、前記加熱水に含まれるスケールを前記スケール付着体に付着させる収納容器と
を備えたことを特徴とするスケール除去装置。
【請求項１４】
前記スケール除去装置は、さらに、
前記加熱水の前記収納容器の内部の通過を停止する停止部と、
前記停止部によって前記加熱水の前記収納容器の内部の通過が停止されているときに、スケールが付着した前記スケール付着体からスケールを剥離する剥離部と、
前記停止部によって前記加熱水の前記収納容器の内部の通過が停止されているときに、前記剥離部によって剥離されたスケールを前記収納容器の外部に排出する排出部と
を備えたことを特徴とする請求項１３記載のスケール除去装置。
【請求項１５】
前記収納容器は、
前記スケール付着体が、着脱可能に収納されることを特徴とする請求項１３または１４のいずれかに記載のスケール除去装置。
【発明の詳細な説明】
【技術分野】
【０００１】
この発明は、熱交換器へのスケール付着を抑制する機能を有するスケール除去装置及びスケール除去方法に関する。例えば、スケール除去方法、あるいは、スケール除去装置を適用した給湯器に関する。
【背景技術】
【０００２】
浴室や台所に温水を供給する給湯器のうち、ヒートポンプ式給湯器では熱を水に伝えるための熱交換器が存在する。熱交換器では水に熱を伝えるため、熱伝達面を清浄な状態に保つことが重要である。壁面が汚れると熱伝達面積の減少や、熱伝導の悪化が起こり熱伝達性能の低下を招く。また、汚れが蓄積すると流路が閉塞するおそれもある。【０００３】
水中の硬度成分（カルシウムイオンやマグネシウムイオン）が高い地域では、加熱によりスケールと呼ばれるカルシウムやマグネシウムの炭酸塩結晶が熱交換器内部に付着し、上記のような熱伝達性能の低下、流路の閉塞等の不具合を引き起こす。水中ではイオンの状態で存在する硬度成分がスケールとして付着する機構のひとつとして、熱交換器の熱伝達面など高温表面上で炭酸カルシウムなどの分子が析出し、この表面上の分子を核としてスケールの結晶成長が進むと考えられる。一方、加熱過程では、水中にも炭酸カルシウムなどの分子が析出し、析出したスケール成分（以下スケール粒子とする）が水中に浮遊する状態で存在する。【０００４】
したがって、スケールの結晶成長は、高温表面上に析出した核に、水中のイオンおよびスケール粒子が結合することで進む。いったん加熱された水が再び熱交換器に導入され加熱されるような場合には、水中のスケール粒子と核が衝突する確率が高まり、結晶成長が促進される。よって、熱交換器での結晶成長を抑えるには、水中で析出したスケール粒子を再び熱交換器に導入させぬように水中から除去することが有効となる。【０００５】
スケール粒子を水中から分離する対策としては、たとえば特許文献１がある。特許文献１の図１では、熱交換器の後段にスケール貯留体７を備え、スケールの自重と水流によってスケール粒子をスケール貯留体下部のスケール貯留部６に堆積させ、水中からスケール粒子を除去する技術が開示されている。
【先行技術文献】
【特許文献】
【０００６】
【特許文献１】特開２００８−１９０７８０号公報
【発明の概要】
【発明が解決しようとする課題】
【０００７】
特許文献１では、水中からスケール粒子を除去するために、主にスケール自体の沈降性を利用している。一般に粒子の沈降速度は粒子が大きいほど大きいため、粒径の大きなスケール粒子であればこの方法で水中から除去できる。しかし、粒径の小さい微小なスケール粒子に対しては、沈降速度が小さくなるため、この方法では十分な除去効果を得ることは難しく、これら微小なスケール粒子に起因する結晶成長については抑制できないという課題があった。【０００８】
本発明は、粒径の大きい、すなわち沈降性の大きなスケール粒子だけでなく、沈降性の小さな微小なスケール粒子についても水中から除去することによって、ヒートポンプ給湯器などで使用される熱交換器へのスケール付着を抑制する方法および装置を提供することを目的とする。
【課題を解決するための手段】
【０００９】
この発明のスケール除去方法は、
水を貯めるタンクから熱交換装置に流入して加熱され、前記熱交換装置から流出して前記タンクに戻る途中の加熱水を、スケールを付着する機能を有するスケール付着体が収納された収納容器の内部を通過させて前記タンクに戻すことにより、前記加熱水に含まれるスケールを前記スケール付着体に付着させる付着工程を備えたことを特徴とする。
【発明の効果】
【００１０】
本発明によれば、水回路中に高温状態の付着体を導入し、沈降性の小さい微小スケール粒子を含むスケール粒子を水中から除去することで、熱交換装置へのスケール付着を低減でき、熱伝達性能の低下を防ぐことができる。
【図面の簡単な説明】
【００１１】
【図１】実験１におけるスケール付着量、低減量を示す特性図。
【図２】実験２におけるスケール捕捉容器の温度とスケール低減率を示す特性図。
【図３】実験３におけるスケール低減率を示す特性図。
【図４】実施の形態１における加熱装置１００１の概略構成図。
【図５】実施の形態２における加熱装置１００２の概略構成図。
【図６】実施の形態３における加熱装置１００３の概略構成図。
【図７】実施の形態４における加熱装置１００４の概略構成図。
【図８】実施の形態６におけるスケール捕捉器１０９−６の構成図。
【図９】実施の形態７におけるスケール捕捉器１０９−７の構成図。
【図１０】実施の形態７におけるスケール捕捉器１０９−７の透過斜視図。
【図１１】実施の形態８におけるスケール捕捉器１０９−８１の構成図。
【図１２】実施の形態８におけるスケール捕捉器１０９−８２の構成図。
【図１３】実施の形態８におけるスケール捕捉器１０９−８３の構成図。
【図１４】実施の形態８におけるスケール捕捉器１０９−８３の上面図
【図１５】実施の形態９におけるスケール捕捉器１０９−９１の概略構成図。
【図１６】実施の形態９におけるスケール捕捉器１０９−９２の構成図。
【図１７】実施の形態１０におけるスケール捕捉器１０９−１０の構成図。
【図１８】実施の形態１１におけるスケール捕捉器１０９−１１の構成図。
【図１９】実施の形態１１におけるスケール捕捉器１０９−１１の透過斜視図。
【図２０】実施の形態１２におけるスケール捕捉器１０９−１２の構成図。
【図２１】実施の形態１３におけるスケール捕捉器１０９−１３の構成図。
【図２２】実施の形態１３におけるスケール捕捉器１０９−１３の上面図。
【図２３】実施の形態１４におけるスケール捕捉器１０９−１４の構成図。
【発明を実施するための形態】
【００１２】
以下の実施の形態では、熱交換器（熱交換装置）で加熱された加熱水からスケールを除去するスケール除去方法及びスケール除去装置を説明する。以下に説明するスケール除去方法及びスケールは、熱交換器を含む水回路中に、スケール粒子に対して親和性に優れた付着体を設置してスケール粒子を付着させる。さらに、付着体を高温状態に保つことで、付着だけでなくスケール粒子を付着体表面で結晶成長させながら、スケールを捕捉することを特徴とする。また、加熱を行わない期間に、捕捉したスケールを付着体から剥離し、剥離後のスケールを水回路から排出することを特徴とする。
【００１３】
以下の説明では、最初の部分では、スケール除去方法（あるいはスケール除去装置）のもととなる実験１〜実験３を説明し、その後に実施の形態１〜１５を説明する。実験及び実施の形態の概要を以下に記載しておく。
【００１４】
（実験１〜３）
（１）実験１：実験１は、付着体を用いた場合のスケール捕捉の有効性を示す。
（２）実験２：実験２は、実験１に対し、到達温度を増やした場合を示す。
（３）実験３：実験３は、実験１に対し、付着体の洗浄の効果を示す。
【００１５】
（１）実施の形態１は、スケール捕捉器が使用される加熱装置１００１の構成を示す。
（２）実施の形態２は、スケール捕捉器が使用される加熱装置１００２の構成を示す。実施の形態２は、実施の形態１に対して、スケール捕捉器に水道水供給配管１１１、スケール排出配管１１２等が接続された。加熱装置１００２では、付着体７の洗浄、洗浄によって剥離されたスケールの排出が可能である。
（３）実施の形態３は、スケール捕捉器が使用される加熱装置１００３の構成を示す。実施の形態３は、実施の形態２に対して、スケール排出配管１１２の水道水が利用される。
（４）実施の形態４は、加熱装置１００４の構成を示す。実施の形態４は、実施の形態１〜３に対して、熱源１０１とプレート型熱交換器１０８との間に、温水が循環する中間回路３００が存在する。
（５）実施の形態５は、脈動運転に関する。
【００１６】
実施の形態６〜１５は、付着体７の構造及び付着体７が収納されるスケール捕捉器１０９の構造に関する。
（６）実施の形態６は、粒状の付着体を用いる場合を示す。
（７）実施の形態７は、紐状の付着体を用いる場合を示す。
（８）実施の形態８は、実施の形態６に、さらに、スケールの剥離工程、剥離したスケールの排出工程を加えた場合を示す。
（９）実施の形態９は、実施の形態７に、さらに、スケールの剥離工程、剥離したスケールの排出工程を加えた場合を示す。
（１０）実施の形態１０は、実施の形態８（図１１）に対して、付着体７に付着したスケールを剥離する剥離機構２１０を追加した構成を示す。
（１１）実施の形態１１は、実施の形態９（図１５）に剥離機構２２０を追加した構成を示す。
（１２）実施の形態１２は、実施の形態９（図１５）に、実施の形態１１とは別の剥離機構２３０を追加した構成を示す。
（１３）実施の形態１３は、実施の形態１０（図１７）に対して、水道水を動力として剥離機構２４０を動作させる構成を示す。
（１４）実施の形態１４は、実施の形態１２（図２０）に対して、水道水を動力として剥離機構２５０を動作させる構成を示す。
（１５）実施の形態１５は、実施の形態１〜１４で説明した内容のバリエーションを示す。
【００１７】
＜実験１＞
（付着体によるスケール捕捉の有効性、脈動との併用）
以下の実施の形態で説明する加熱方法のもととなる実験１を説明する。
硬度３００ｍｇ／Ｌ、
ｐＨ７．８、
温度２０℃、
容積２００Ｌ
の水を、
容積２００Ｌのタンクに保持し、タンク内の水をプレート型熱交換器に循環させるポンプと水回路を設けた。プレート型熱交換器の１次側にはヒートポンプを模擬したヒータで加熱した高温水を循環させる。一方、タンク内の水が、プレート型熱交換器の２次側に、２０Ｌ／分の流量で循環するようにし、タンク内の水は約１時間で６０℃まで加熱される。タンク容積に対する加熱期間内の循環水量の比率を循環比率と定義すると、この実験では循環比率は６（＝（２０Ｌ／分×６０分）／２００Ｌ）となる。
【００１８】
プレート型熱交換器のスケール対策として、以下を導入した。
（１）スケール捕捉１：プレート型熱交換器の後段に、付着体として粒状のシリコーンゴムを充填したスケール捕捉容器を設置し、プレート型熱交換器で加熱した後の水を通した。これは、水中に存在するスケール粒子を付着体に付着させ、かつ高温状態で付着体表面でスケールの結晶を成長させながら捕捉することを狙いとする。
（２）スケール捕捉２：これは先行例（特開２００８−１９０７８０号公報）と同様の方法である。スケール捕捉２では、プレート型熱交換器の後段に、付着体を用いないスケール捕捉容器であって、スケールを下部に貯留する機構を設けたスケール捕捉容器を設置し、プレート型熱交換器で加熱した後の水を通した。これは、水中に存在するスケール粒子をその自重で沈降させながら捕捉することを狙いとする。
（３）脈動：ポンプの流量を４秒間は２０Ｌ／分、１秒間は４０Ｌ／分と変化させた運転を繰り返した。これは、流速を瞬間的に増加させることでプレート型熱交換器内部に揃断力を発生させ、熱伝達面へのスケール核の形成を防止するとともに、熱伝達面に付着したスケールを剥離させることを狙いとする。
【００１９】
実験１では、
（ａ）対策なし、
（ｂ）脈動、
（ｃ）スケール捕捉１、
（ｄ）スケール捕捉１＋脈動、
（ｅ）スケール捕捉２（付着体なし）、
の５条件を行った。
【００２０】
約１ヶ月運転後にプレート型熱交換器のプレートに付着したスケール量を測定した。
図１は、「（ａ）対策なし」のスケール量を１００％としたときの各条件でのスケール付着量、低減量を示したものである。
図１のように、
「（ｂ）脈動」では低減率は１４％にとどまったが、
「（ｃ）スケール捕捉１」での低減率は７２％となり、
「（ｅ）スケール捕捉２」での低減率９％よりも大幅に高い値であった。
また、スケール捕捉と脈動の併用では、
「（ｄ）スケール捕捉１＋脈動」では９６％の低減率となり、
これは、
「（ｂ）脈動」単独と、
「（ｃ）のスケール捕捉１」単独との和（８６％）よりも、さらに１０％大きな値であった。
【００２１】
この結果より、本実験条件のように、循環比率が６のように比較的大きい場合、スケール対策としては、「付着体」を用いたスケール捕捉が有効であること、「スケール捕捉と脈動とを組み合わせること」で単独での効果の和を上回る相乗効果があることを見出した。
【００２２】
＜実験２＞
（スケール捕捉１に対する温度の影響）
以下の実施の形態の加熱方法のもととなる、別の実験２を説明する。実験２は、実験１に対し、到達温度を増やした場合を示す。実験１では１時間に６０℃に到達の場合を示したが、実験２では、実験１と他は同じ条件で、到達温度を４０℃、５０℃、６０℃（実験１と同じ）、７０℃、８０℃、９０℃と変えた場合を示す。
実験１と同様、
硬度３００ｍｇ／Ｌ、
ｐＨ７．８、
温度２０℃、
容積２００Ｌの水を容積２００Ｌのタンクに保持し、タンク内の水をプレート型熱交換器に循環させるポンプと水回路を設けた。プレート型熱交換器の１次側にはヒートポンプを模擬したヒータで加熱した高温水を循環させる。一方、タンク内の水をプレート型熱交換器の２次側に２０Ｌ／分の流量で循環させ、約１時間で所定の温度になるまで加熱した。到達温度を４０℃、５０℃、６０℃、７０℃、８０℃、９０℃と変え、到達時のスケール捕捉容器内の温度を測定した。
【００２３】
プレート型熱交換器のスケール対策として、実験１のスケール捕捉１（プレート型熱交換器の後段に、付着体として粒状のシリコーンゴムを充填したスケール捕捉容器を設置し、プレート型熱交換器で加熱した後の水を通す）を導入した。実験２は、各温度に対して、対策なしと対策ありの２条件を行い、約１ヶ月運転後にプレート型熱交換器のプレートに付着したスケール量を測定した。
図２は、各温度で対策なしの場合のスケール量を１００％としたときの、対策ありの場合のスケール低減率と、スケール捕捉容器温度の関係を示したものである。図２のように、スケール捕捉容器の温度とともにスケール低減率は増加したが、５０℃付近では低減率３８％に対し、６０℃では７０％以上の高い低減率となり、これら温度の間で低減率が大きく変化した。また、スケール捕捉容器の温度が６０℃以上の場合はスケール低減率は大きく変化しなかった。この結果により、付着体を用いたスケール捕捉では、捕捉容器の温度が５０℃以上の場合に、特に高いスケール抑制効果が得られることを見出した。
【００２４】
＜実験３＞
（付着体の洗浄による再生効果）
以下の実施の形態の加熱方法のもととなる、別の実験３を説明する。
実験３は、実験１に対し、付着体の洗浄の効果を示す。
実験１と同様、
硬度３００ｍｇ／Ｌ、
ｐＨ７．８、
温度２０℃、
容積２００Ｌの水を容積２００Ｌのタンクに保持し、タンク内の水をプレート型熱交換器に循環させるポンプと水回路を設けた。プレート型熱交換器の１次側にはヒートポンプを模擬したヒータで加熱した高温水を循環させる。一方、タンク内の水をプレート型熱交換器の２次側に２０Ｌ／分の流量で循環させ、約１時間で６０℃まで加熱した。
【００２５】
プレート型熱交換器のスケール対策として、実験１のスケール捕捉１（プレート型熱交換器の後段に、付着体として粒状のシリコーンゴムを充填したスケール捕捉容器を設置し、プレート型熱交換器で加熱した後の水を通す）を導入した。また、加熱を行わない期間に、シリコーンゴムを充填した容器の内部に、加熱時とは逆方向に４０Ｌ／分の流量で水道水を約１時間導入し、容器内のシリコーンゴムを洗浄する工程を加えた。また、洗浄に用いた水道水はタンクには戻さず、通水後はすべて排水した。
【００２６】
実験３は、運転１ヶ月経過後から、上記の洗浄を行った場合と、全く洗浄を行わない２条件を行った。４ヶ月運転後にプレート型熱交換器のプレートに付着したスケール量を測定した。
図３は、各条件のスケール低減率を示したものであり、洗浄工程開始時にあたる運転１ヶ月経過後の結果もあわせて示す。図３のように、洗浄を行わない場合は１ヵ月後の７２％から４ヵ月後には２７％にまで低減したが、洗浄した場合は４ヵ月後も７１％の低減率を維持した。
【００２７】
図３の結果より、付着体を用いたスケール捕捉では、定期的に水道水を導入するなどの操作で捕捉したスケールを付着体から剥離し、水回路外に排出することが、長期的な運転に有効であることを見出した。
【００２８】
実施の形態１．
（装置全体構成：付着体は交換で対応）
図４を参照して実施の形態１を説明する。実施の形態１では、スケール捕捉器１０９が使用される加熱装置１００１の構成を示す。なお、各機器の制御に関しては実施の形態１〜１５では、制御装置（図示していない）が実行する。
【００２９】
以下の実施の形態１〜１５では、プレート型熱交換器１０８（以下、熱交換器１０８ともいう）から流出してスケール捕捉器１０９に流入する加熱水の温度は所定の温度以上（実験２に基づく）である。例えば、５０℃以上である。
【００３０】
図４は、実施の形態１の加熱装置１００１の概略構成を示す。はじめに、加熱装置１００１の構成を説明する。図４のように、熱源１０１と熱交換器１０８の１次側が循環配管１１０で、接続されている。また、給湯タンク１０２、プレート型熱交換器１０８の２次側およびスケール捕捉器１０９が、熱交換器入口配管１０５、スケール捕捉器入口配管１０６、スケール捕捉器出口配管１１７で、それぞれ連結されている。熱交換器入口配管１０５には循環ポンプ１０７が、給湯タンク１０２には水道配管１０３と給湯配管１０４が、それぞれ設置されている。また、スケール捕捉器１０９の内部には、付着体７として、粒状のシリコーンゴムが充填されている。
【００３１】
次いで、加熱装置１００１の運転動作を、図４を参照して説明する。水道水を水道配管１０３から給湯タンク１０２に導入し、満水となった時点で熱源１０１を運転し、循環配管１１０中に高温の冷媒を循環させる。これと同時に循環ポンプ１０７を動作させ、給湯タンク１０２内の水を熱交換器入口配管１０５を通してプレート型熱交換器１０８に供給し、冷媒との熱交換によって加熱する。プレート型熱交換器１０８から出た水をスケール捕捉器入口配管１０６を通してスケール捕捉器１０９に導入し、スケール捕捉器内の付着体７と接触させた後（付着工程）、スケール捕捉器から出た水をスケール捕捉器出口配管１１７を通して給湯タンク１０２へ戻す。給湯タンク１０２内の水温が所定の温度になるまで、冷媒、給湯タンク１０２内の水の循環を続け、加熱終了後、給湯タンク１０２内の水を適宜給湯配管１０４を通して温水として使用する。
【００３２】
このように給湯タンク１０２の水をプレート型熱交換器１０８で加熱する際、熱交換器１０８から出る高温の水中には加熱によってスケール粒子が生じている。このスケール粒子をこのまま給湯タンク１０２に戻すと、このスケール粒子が熱交換器１０８に導入されることになり、熱交換器１０８内部のスケール付着を促進してしまう。
【００３３】
しかし、本実施の形態１のように、熱交換器１０８後段にスケール捕捉器を設け、スケール粒子を含む水を付着体と接触させながら通過させることで、水中のスケール粒子を付着体の表面に付着させ、水中から取り除くことができる。さらに、付着体を高温に保ちながら水を通過させることで、スケールの結晶化を促進できる。すなわち、付着体に付着したスケールに水中のスケール粒子が接触し、取り込まれてスケールの結晶を形成する現象（付着体表面での結晶成長）を促進できる。
【００３４】
（付着と結晶化）
したがって、単なる「付着」だけでなく、「結晶化」を加えた２つの作用によって、水中のスケール粒子を付着体で捕捉することができ、水中からスケール粒子を除去することが可能となる。その結果、熱交換器１０８へのスケール付着を、付着や結晶化の作用がない従来のスケール捕捉器よりも大幅に低減でき、熱交換器１０８の熱伝達性能を維持できる。
【００３５】
なお、スケール付着にともない、スケール捕捉器中の付着体の捕捉能力が低下した場合は、適宜、新しい付着体と交換することができる。また、付着体をいったん引き抜いて洗浄後、再び装着しても構わない。
【００３６】
実施の形態２．
（装置全体構成：付着体の洗浄＋排水）
図５は、実施の形態２の加熱装置１００２の概略構成図を示す。図５を参照して加熱装置１００２の構成を説明する。加熱装置１００２は、実施の形態１の加熱装置１００２に対して、さらに、スケール捕捉器１０９に水道水供給配管１１１、スケール排出配管１１２等が接続された。加熱装置１００２では、付着体７の洗浄、洗浄によって剥離（剥離工程）されたスケールの排出（排出工程）が可能である。
【００３７】
図５のように、スケール捕捉器１０９の上部に水道水供給配管１１１が、スケール捕捉体の下部にスケール排出配管１１２が、それぞれ接続されている。水道水供給配管１１１の一方は水道配管１０３に、スケール排出配管１１２の一方は各家の排水口に、それぞれつながっている。各家としたのは、各家に加熱装置１００２が配置されている状態を想定したからである。実施の形態１、３、４も同様である。また、水道水供給配管１１１、スケール排出配管１１２、スケール捕捉器入口配管１０６、スケール捕捉器出口配管１１７には、流路開閉バルブ１１３、１１４、１１５、１１６がそれぞれ設置されている。それ以外は、図４の加熱装置１００１と同等である。
【００３８】
次いで、加熱装置１００２の運転動作について、図５を参照しながら説明する。実施の形態１と同様に、循環ポンプ１０７を動作させ給湯タンク１０２内の水を熱交換器１０８に供給し、冷媒との熱交換によって加熱する。このとき、熱交換器１０８から出た水をスケール捕捉器１０９を通して給湯タンク１０２へ戻す。この工程での流路開閉バルブ１１５、１１６は開、流路開閉バルブ１１３、１１４は閉である。
【００３９】
次に、「加熱を行わない期間」に、流路開閉バルブ１１５、１１６を閉、流路開閉バルブ１１３、１１４を開とし、水道配管１０３から水道水供給配管１１１を通して、水道水（流体の一例）をスケール捕捉器の上部に導入する。スケール捕捉器を通過した水道水をスケール排出配管１１２を通して各家の排出口に排出（排出工程）する。なお、各バルブの開閉は、制御装置で自動的に行ってもよいし、例えば定期的に手動で行ってもよい。なお、後述する実施の形態３を示す図６の場合は、制御装置で自動的に各バルブの開閉を行うことを想定している。また、加熱を行わない期間（非加熱期間あるいは非加熱工程）とは、熱交換器１０８に、加熱用の熱媒体と被加熱水（加熱されるべき水道水）が循環されない期間を意味する。給湯タンク１０２内の水道水が所定の温度になれば、このように熱交換器１０８への熱媒体と水導水の流れを停止する。
【００４０】
本実施の形態２のように、熱交換器１０８の後段にスケール捕捉器を設け、スケール粒子を含む水を付着体と接触させることで、実施の形態１と同様の効果を得ることができる。
【００４１】
（洗浄、排水の効果）
さらに、本実施の形態２のように、加熱を行わない期間に、スケール捕捉器内部に水道水を洗浄水として導入し、付着体からスケールを剥離し、これを水回路外に排出することで、付着体を再生することができる。すなわち付着体の付着機能を再生できる。付着機能の再生によって、長期間にわたって付着体の交換をおこなわずともスケール捕捉を行うことができるので、熱交換器１０８の熱伝達性能をより簡単な操作で維持できる。
【００４２】
（水回路４００）
図５を参照して、水回路４００について説明しておく。「水回路４００」とは、図５において、給湯タンク１０２→熱交換器１０８→スケール捕捉器１０９→給湯タンク１０２の経路である。さらに具体的には、→「水回路４００」とは給湯タンク１０２→熱交換器入口配管１０５→循環ポンプ１０７→熱交換器１０８→スケール捕捉器入口配管１０６→スケール捕捉器１０９→スケール捕捉器出口配管１１７→給湯タンク１０２の経路における配管、機器（流路開閉バルブ１１５，１１６も含む）をまとめて水回路４００という。この水回路４００は、図４、図６、図７の実施の形態１，３，４についても同様である。ただし、図４、図７には流路開閉バルブ１１５，１１６は使用されていない。
【００４３】
実施の形態３．
（装置全体構成：付着体の洗浄＋給水使用）
図６は、実施の形態３の加熱装置１００３の概略構成図を示す。図６を参照して実施の形態３の加熱装置１００３の構成を説明する。実施の形態３の加熱装置１００３は、実施の形態２の加熱装置１００２に対して、スケール排出配管１１２の水道水が利用される。図６のように、加熱装置１００３では、スケール捕捉器１０９の下部に設置されたスケール排出配管１１２が、各家の給水ラインにつながっている。それ以外は、図５の加熱装置１００２と同等である。
【００４４】
次いで、加熱装置１００３の運転動作について、図６を参照しながら説明する。実施の形態２と同様に、循環ポンプ１０７を動作させ、給湯タンク１０２内の水を熱交換器１０８に供給し、冷媒との熱交換によって加熱する。このとき、熱交換器１０８から出た水をスケール捕捉器１０９を通して給湯タンク１０２へ戻す。この工程での流路開閉バルブ１１５、１１６は開、流路開閉バルブ１１３、１１４は閉である。
【００４５】
次に、加熱を行わない期間に、トイレや洗面などで水道水を使用する場合、水道水の使用に連動して、流路開閉バルブ１１５、１１６を閉、流路開閉バルブ１１３、１１４を開とし、水道配管１０３から水道水供給配管１１１を通して水道水をスケール捕捉器１０９の上部に導入する。スケール捕捉器を通過した水道水は、スケール排出配管１１２を通して各家のトイレや洗面などの給水として使用する。
【００４６】
本実施の形態３のように、熱交換器１０８後段にスケール捕捉器を設け、スケール粒子を含む水を付着体と接触させることで、実施の形態１と同様の効果を得ることができる。
【００４７】
また、本実施の形態３のように加熱を行わない期間に、スケール捕捉器内部に水道水を洗浄水として導入し、付着体からスケールを剥離し（剥離工程）、これを水回路外に排出（排出工程）することで、実施の形態２と同様の効果を得ることができる。
【００４８】
（排水の利用）
さらに、洗浄後の水道水はスケールを含むものの、水道水として利用できる。そのため、本実施の形態３のように、水道水の使用に連動させて洗浄を行い、洗浄後の水道水を各家の給水として使用することで、洗浄用として水道水の使用量を増加させることなく、熱交換器１０８の熱伝達性能を維持できる。なお、前記の「水道水の使用に連動させて」とは以下の内容である。水道水の供給は、例えば水道ラインにおける流量センサ、圧力センサなど、水が流れていることを検知できる検知装置（手段）で行う。この検知装置の検知信号を制御装置で取り込み、制御装置から流路開閉バルブ１１３、１１４に対して、開閉信号を出す。
【００４９】
実施の形態３の加熱装置１００３では、流路開閉バルブ１１５、１１６、制御装置が、加熱水のスケール捕捉器１０９内の通過を停止させる停止部を構成する。また、水道水供給配管１１１、スケール排出配管１１２、流路開閉バルブ１１３、１１４、制御装置が、付着体７からスケールを剥離させる剥離部を構成する。また、停止部は、剥離されたスケールを排出する排出部を兼ねる。
【００５０】
実施の形態４．
（装置全体構成：２段加熱）
図７は、実施の形態４の加熱装置１００４の概略構成図を示す。図７を参照して実施の形態４の加熱装置１００４の構成を説明する。実施の形態４の加熱装置１００４は、実施の形態１〜３の加熱装置１００１〜１００３に対して、熱源１０１と熱交換器１０８との間に、温水が循環する中間回路３００が存在する。
【００５１】
実施の形態１〜３では、熱交換器１０８の１次側に熱源からの冷媒を循環させたが、この構成に限るものではない。欧州のように、ヒートポンプで加熱された水を暖房と給湯との共通熱源として使用する場合には、ヒートポンプで加熱された水を、同様に熱交換器１０８の１次側に循環させてもよい。図７は、この概略構成を示している。
【００５２】
はじめに加熱装置１００４の構成を説明する。
図７のように、熱源１０１とプレート熱交換器（２）１１９の１次側が循環配管（２）１１８で、プレート熱交換器（２）１１９の２次側と熱交換器１０８の１次側が循環配管１１０で、それぞれ接続され、循環配管１１０には循環ポンプ（２）１２２が設置されている。
さらに循環配管は暖房循環配管１２１と分岐され、分岐点には切替えバルブ１２３が設置され、暖房循環配管は暖房系１２０と接続されている。
その他は、図４と同等である。
【００５３】
次いで、加熱装置１００４の運転動作を、図７を参照しながら説明する。水道水を水道配管１０３から給湯タンク１０２に導入し、満水となった時点で熱源１０１を運転し、循環配管（２）１１８の中に高温の冷媒を循環させる。次に、切替えバルブ１２３を操作して、暖房循環配管１２１を閉じ、循環ポンプ（２）１２２を動作させ、熱交換器（２）１１９と熱交換器１０８、およびその間の循環配管１１０の中に水を循環させる。これと同時に、循環ポンプ１０７を動作させ、給湯タンク１０２内の水を熱交換器入口配管１０５を通して熱交換器１０８に供給し、循環配管中の循環水との熱交換によって加熱する。熱交換器１０８から出た水をスケール捕捉器入口配管１０６を通してスケール捕捉器１０９に導入し、スケール捕捉器１０９内の付着体７と接触させた後、スケール捕捉器１０９から出た水をスケール捕捉器出口配管１１７を通して給湯タンク１０２へ戻す。所定の温度になるまで、冷媒、給湯タンク１０２内の水の循環を続け、加熱終了後、給湯タンク１０２内の水を適宜給湯配管１０４を通して温水として使用する。
【００５４】
本実施の形態４のように、ヒートポンプで加熱した水を暖房と給湯の共通熱源として使用する場合においても、熱交換器１０８後段にスケール捕捉器１０９を設け、スケール粒子を含む水を付着体と接触させることで、水中のスケール粒子を付着体表面に付着させ、水中から取り除くことができる。
【００５５】
さらに、付着体を高温に保ちながら水を通過させることで、スケールの結晶化を促進し、単なる「付着」だけでなく「結晶化」を加えた２つの作用によって水中のスケール粒子を付着体で捕捉でき、水中からスケール粒子を除去することが可能となる。その結果、熱交換器１０８へのスケール付着を、付着や結晶化の作用がない従来のスケール捕捉器よりも大幅に低減でき、熱交換器１０８の熱伝達性能を維持できる。
【００５６】
また、スケール付着にともないスケール捕捉器中の付着体の捕捉能力が低下した場合は、適宜、新しい付着体へ交換することができる。また、付着体をいったん引き抜いて洗浄後再び装着しても構わない。
【００５７】
なお、図７はスケール捕捉器１０９の付着体７からのスケール剥離、水回路からのスケール排出は示していない。しかし、ヒートポンプ（熱源１０１の例）で加熱した水を暖房と給湯の共通熱源として使用する場合においても、図５、図６のように、スケール捕捉器に水導水供給配管、スケール排出配管を設け、付着体からのスケール剥離、水回路外への排出を行ってもよい。
【００５８】
実施の形態５．
（脈動工程の追加）
次に実施の形態５を説明する。実施の形態５は脈動に関する。実施の形態１〜４では、給湯タンク１０２、熱交換器１０８、スケール捕捉器１０９およびこの間の水回路中の水流の状態は特に示さなかった。しかし、実施の形態１〜４では、通常の運転ように一定流量で流してもよいし、また、脈動、すなわち、流量を４秒間は２０Ｌ／分、１秒間は４０Ｌ／分、あるいは４秒間は２０Ｌ／分、１秒間は５Ｌ／分のように、周期的に変化させる運転を繰り返してもよい。この場合、スケール捕捉と脈動運転（脈動工程）とを併用することで、両者の相乗効果によって、いっそう高いスケール抑制効果が得られる。脈動は、制御装置が循環ポンプ１０７を制御することで発生させる。なお、脈動は、少なくとも熱交換器１０８の内部を通過中の加熱水に生じさせることができればよい。例えば、熱交換器１０８の入口側に対して出口側（加熱水の高温側）で脈動を発生させてもよい。
【００５９】
実施の形態６．
（スケール捕捉器の構造：粒状、洗浄なし）
以下の実施の形態６〜１５は、付着体７の構造及び付着体７が収納されるスケール捕捉器１０９の構造に関する。以下の実施の形態６〜１５は、例えば、実施の形態１〜４で説明した加熱装置１００１〜１００４に使用される。実施の形態６〜１４では、付着体７として、粒状、紐状のものを示している。以下の図では、右上がりの斜線が粒状の付着体７を示し、右下がりの斜線が紐状の付着体を示す。まず図８を参照して、実施の形態６のスケール捕捉器１０９−６を説明する。実施の形態６は、粒状の付着体７を用いる場合を示す。粒状の付着体７の直径は、例えば、１〜５ｍｍ程度である。
図８は、スケール捕捉器１０９−６の概略構成図を示す。
【００６０】
はじめに、実施の形態６のスケール捕捉器１０９−６の構成を説明する。図８のように、スケール捕捉器１０９−６にはスケール捕捉器入口配管１０６、スケール捕捉器出口配管１１７が接続されている。スケール捕捉器入口配管１０６、スケール捕捉器出口配管１１７の他方は、図４の加熱装置１００１のように、それぞれ熱交換器１０８、給湯タンク１０２に接続されるが、ここではこれらは省略する。スケール捕捉器１０９−６の内部には整流体４、付着体保持容器８が装着され、付着体保持容器８には付着体７として粒状のシリコーンゴムが充填されている。また、付着体保持容器８は、金属製のメッシュなどで形成され、付着体７を保持しつつ、水、およびスケール粒子が自由に通過できるようになっており、さらに付着体保持容器８は、スケール捕捉器１０９−６から着脱可能な構造となっている。
【００６１】
次いで、実施の形態６のスケール捕捉器１０９−６が加熱装置１００１に使用された場合の、加熱装置１００１の運転動作を、図８を参照しながら説明する。
【００６２】
加熱工程において、熱交換器１０８で加熱後の高温水を、スケール捕捉器入口配管１０６を通してスケール捕捉器下部に導入し、整流体４を経て付着体保持容器内の付着体と接触させながら通過させる。通過後の水をスケール捕捉器出口配管１１７を通して給湯タンク１０２へ導入する。
【００６３】
また、スケール付着にともない付着体７の捕捉能力が低下した際には、加熱を行わない期間に付着体保持容器をスケール捕捉器１０９−６から取り出し、新しい付着体を充填した付着体保持容器を装着する。また、付着体をいったん引抜いて洗浄後再び装着してもよい。
【００６４】
本実施の形態６のように、整流体を用いて加熱後の水を均一に粒状の付着体に接触することで、スケールの付着、結晶成長をより安定に行うことができる。また、付着体を付着体保持容器８ごと交換することで、スケール捕捉能力をすばやく、かつ容易に回復することができる。
【００６５】
なお、図８では整流体４を用いたが、加熱後の水を均一に付着体に接触することができれば、整流体４に限らず他の装置を用いてもよい。また、スケール捕捉器１０９の下部の構造などによって水の流れを均一にできる場合は、整流装置はなくともよい。
【００６６】
実施の形態７．
（捕捉器構造：紐状、洗浄なし）
図９、図１０を参照して実施の形態７のスケール捕捉器１０９−７を説明する。
図９は、スケール捕捉器１０９−７の構成を示す。実施の形態７は、実施の形態６に対して、付着体７が紐状である点が異なる。紐状の付着体７の直径は、例えば、０．２〜１．０ｍｍである。他は実施の形態６と同等である。実施の形態７のスケール捕捉器１０９−７は、実施の形態６のスケール捕捉器１０９−６と同様に、洗浄がない（加熱装置１００１に対応）構成である。
【００６７】
はじめに実施の形態７のスケール捕捉器１０９−７の構成を説明する。図９のように、スケール捕捉器１０９−７内には整流体４、付着体保持容器８が装着され、付着体保持容器の左右の壁面を橋渡しするようなかたちで紐状のシリコーンゴムが充填されている。
図１０は、スケール捕捉器１０９−７を透過した斜視図を模式的に示した図である。付着体保持容器８は便宜的に２つの平面で表現している。図中の破線の矢印方向は、加熱水の流れる方向を示す。図１０のＸ方向矢視が図９である。
なお、図１０では、付着体７が加熱水の流れる破線の矢印方向に、間隔をあけて配置されているが、これは見やすいようにしたためである。現実には、破線の矢印方向に、付着体７は密集して配置される。
図１０に示すように、スケール捕捉器１０９−７では、紐（付着体７）の付け根は、水流の抵抗にならない範囲でできるだけ密集させて、付着体保持容器８の壁に取り付ける。付着体保持容器８の左右の壁を橋渡しするような形で、非常に多くの細い紐状の付着体７が存在するというイメージである。もちろん図９、図１０は一例であり、この構成に限定されない。付着体保持容器８の上部、下部は開放となっており、付着体７を保持しつつ、水、スケール粒子が自由に通過できるようになっており、さらに付着体保持容器８はスケール捕捉器から着脱可能な構造となっている。それ以外は図８と同等である。
【００６８】
加熱装置１００１での運転動作はスケール捕捉器１０９−６の場合と同様である。図９を参照しながら説明する。加熱工程において、熱交換器１０８で加熱後の高温水を、スケール捕捉器入口配管１０６を通してスケール捕捉器下部に導入し、整流体を経て付着体保持容器内の付着体と接触させながら通過させる。通過後の水をスケール捕捉器出口配管１１７を通して給湯タンク１０２へ導入する。
【００６９】
また、スケール付着にともない付着体の捕捉能力が低下した際には、加熱を行わない期間に付着体保持容器をスケール捕捉器１０９−７から取り出し、新しい付着体を充填した付着体保持容器８を装着する。また、付着体をいったん引抜いて洗浄後再び装着してもよい。
【００７０】
本実施の形態７のように、整流体を用いて加熱後の水を均一に「紐状の付着体」に接触することで、スケールの付着、結晶成長をより安定に行うことができる。また、付着体を付着体保持容器ごと交換することで、スケール捕捉能力をすばやく、かつ容易に回復することができる。
【００７１】
なお、図９では整流体を用いたが、実施の形態６と同様に、加熱後の水を均一に付着体に接触することができれば、整流体４に限らず他の装置を用いてもよい。また、スケール捕捉器１０９−７の下部の構造などによって水の流れを均一にできる場合は、整流装置はなくともよい。
【００７２】
実施の形態８．
（捕捉器構造：粒状、付着体衝突によるスケール剥離（手段：水道水の流れ））
図１１〜図１４を参照して、実施の形態８のスケール捕捉器１０９−８１〜１０９−８３を説明する。これらは実施の形態６に水道水を導入する構成である。
図１１は、スケール捕捉器１０９−８１の構成を示す。
図１２は、スケール捕捉器１０９−８２の構成を示す。
図１３は、スケール捕捉器１０９−８３の構成を示す。
図１４は、図１３のスケール捕捉器１０９−８３のＺ方向矢視（上面図）を示す。実施の形態８は、スケール捕捉器に水道水が導入され、スケールの剥離、排出が行われる。すなわち、図５の加熱装置１００２（あるいは図６の加熱装置１００３）が対応する。
【００７３】
はじめにスケール捕捉器１０９−８１の構成を説明する。図１１のように、スケール捕捉器１０９−８１には、スケール捕捉器入口配管１０６、スケール捕捉器出口配管１１７、水道水供給配管１１１、スケール排出配管１１２が、接続される。水道水供給配管１１１、スケール排出配管１１２、スケール捕捉器入口配管１０６、スケール捕捉器出口配管１１７には、流路開閉バルブ１１３、１１４、１１５、１１６が、それぞれ設置されている。スケール捕捉器入口配管１０６、スケール捕捉器出口配管１１７、水道水供給配管１１１、スケール排出配管１１２の他方は、図５、図６のように、それぞれ熱交換器１０８、給湯タンク１０２、水道配管、各家の排水口または供給ラインに接続されるが、ここではこれらは省略する。スケール捕捉器１０９の内部には付着体保持容器８が装着される。付着体保持容器８には付着体７として「粒状のシリコーンゴム」が充填されている。付着体保持容器８は金属製のメッシュなどで形成され、付着体を保持しつつ、水、およびスケール粒子が自由に通過できるようになっている。さらに、スケール捕捉器１０９内にはスケール捕捉器入口配管１０６との接続位置よりも下の部分にスケール貯留部６が設けられ、この先にスケール排出配管１１２が接続されている。
【００７４】
次いで、図１１を参照しながら、加熱装置１００２（あるいは加熱装置１００３）の運転動作を、説明する。加熱工程において、流路開閉バルブ１１５、１１６を開、流路開閉バルブ１１３、１１４を閉とする。熱交換器１０８で加熱後の高温水を、スケール捕捉器入口配管１０６を通してスケール捕捉器に導入し、付着体保持容器内の付着体と接触させながら通過させる。通過後の水をスケール捕捉器出口配管１１７を通して給湯タンク１０２へ導入する。
【００７５】
また、スケール付着にともない付着体の捕捉能力が低下した際には、加熱を行わない期間に、流路開閉バルブ１１５、１１６を閉、流路開閉バルブ１１３、１１４を開とする。そして、水道水供給配管１１１から水道水を導入し、水道水を付着体と接触させ、付着体からスケールを剥離する（剥離工程）。同時に、スケール排出配管１１２から、剥離したスケールを排出（排出工程）する。
【００７６】
本実施の形態８のように、水道水の流れを用いて付着体表面と水道水の接触、および付着体の流動による付着体と付着体保持容器の衝突や付着体どうしの衝突を起すことによって、付着体に付着したスケールを付着体から剥離できる。また、剥離後のスケールを水道水で排出することで、スケール捕捉能力を回復することができる。
【００７７】
（剥離方式の種類）
図１１のスケール捕捉器１０９−８１では、付着体からスケールを剥離するために、スケール捕捉器１０９−８１の上部から水道水を供給し、この水道水をスケール捕捉器の下部から剥離したスケールとともに排出した。しかし、これに限るものではなく、付着体表面に水道水を接触させ、さらに付着体を流動させ、付着体を付着体保持容器や付着体どうしと衝突させ、そこに付着していたスケールを剥離させることができれば他の方法も用いることができる。図１２に示すスケール捕捉器１０９−８２のように下部から水道水を導入し、上部から排出してもよい。図１３、図１４に示すスケール捕捉器１０９−８３では、側部から接線方向に水道水を導入して旋回流を生じさせ、下部から排出するようにしている。このようなスケール捕捉器１０９−８３の構成でもよい。
【００７８】
実施の形態９．
（捕捉器構造：紐状、付着体接触によるスケール剥離（手段：水道水の流れ））
図１５、図１６を参照して、実施の形態９のスケール捕捉器１０９−９、スケール捕捉器１０９−９２を説明する。
図１５は、スケール捕捉器１０９−９１の構成を示す。
図１６は、スケール捕捉器１０９−９２の構成を示す。実施の形態９のスケール捕捉器１０９−９１、スケール捕捉器１０９−９２は、それぞれ、実施の形態８のスケール捕捉器１０９−８１、スケール捕捉器１０９−８２に対応する。実施の形態８が粒状の付着体７を使用するのに対して、実施の形態９では紐状の付着体７を使用する。従って、スケール捕捉器１０９−９１、スケール捕捉器１０９−９２とも図５の加熱装置１００２（あるいは図６の加熱装置１００３）が対応する。
【００７９】
図１５を参照してスケール捕捉器１０９−９１を説明する。スケール捕捉器１０９−９１内には、図１０で示したように、付着体保持容器８が装着され、付着体保持容器の左右の壁面を橋渡しするようなかたちで「紐状のシリコーンゴム」が充填されている。付着体保持容器８の上部、下部は開放となっており、付着体を保持しつつ、水、スケール粒子が自由に通過できるようになっている。それ以外は図１１のスケール捕捉器１０９−８１と同等である。
【００８０】
次いで、図１５を参照しながら、加熱装置１００２の運転動作を説明する。以下の加熱装置１００２の動作は、実施の形態８と同様である。加熱工程において、流路開閉バルブ１１５、１１６を開、流路開閉バルブ１１３、１１４を閉とし、熱交換器１０８で加熱後の高温水を、スケール捕捉器入口配管１０６を通してスケール捕捉器に導入し、付着体保持容器内の付着体と接触させながら通過させる。通過後の水をスケール捕捉器出口配管１１７を通して給湯タンク１０２へ導入する。
【００８１】
また、スケール付着にともない付着体の捕捉能力が低下した際には、加熱を行わない期間に流路開閉バルブ１１５、１１６を閉、流路開閉バルブ１１３、１１４を開とする。そして、水道水供給配管１１１から水道水を導入し、水道水を付着体と接触させ、付着体からスケールを剥離する。同時に、スケール排出配管１１２から、剥離したスケールを排出する。
【００８２】
本実施の形態９のように、水道水の流れを用いて付着体表面と水道水の接触、および付着体の伸縮による付着体と付着体保持容器の衝突や付着体どうしの衝突を起すことによって、付着体に付着したスケールを付着体から剥離できる。また、剥離後のスケールを水道水で排出することで、スケール捕捉能力を回復することができる。
【００８３】
図１５のスケール捕捉器１０９−９１では、付着体からスケールを剥離するために、スケール捕捉器の上部から水道水を供給し、この水道水をスケール捕捉器の下部から剥離したスケールとともに排出した。しかし、これに限るものではない。付着体表面に水道水を接触させ、さらに付着体を伸縮させ、付着体を付着体保持容器や付着体どうしと衝突させ、そこに付着していたスケールを剥離させることができれば他の方法も用いることができる。図１５は、スケール捕捉器１０９−９２を示す。例えば、図１６のスケール捕捉器１０９−９２のように下部から導入し、上部から排出するようにしてもよい。
【００８４】
実施の形態１０．
（捕捉器構造：粒状、付着体衝突によるスケール剥離（手段：モータによる回転運動））
図１７は、実施の形態１０のスケール捕捉器１０９−１０を示す。図１７を参照して、実施の形態１０のスケール捕捉器１０９−１０を説明する。スケール捕捉器１０９−１０は、実施の形態８のスケール捕捉器１０９−８１に剥離機構２１０を設けた構成である。
【００８５】
図１７を参照してスケール捕捉器１０９−１０の構成を説明する。実施の形態８と同様に、スケール捕捉器１０９−１０には、スケール捕捉器入口配管１０６、スケール捕捉器出口配管１１７、水道水供給配管１１１、スケール排出配管１１２が、接続されている。水道水供給配管１１１、スケール排出配管１１２、スケール捕捉器入口配管１０６、スケール捕捉器出口配管１１７には、流路開閉バルブ１１３、１１４、１１５、１１６が、それぞれ設置されている。スケール捕捉器入口配管１０６、スケール捕捉器出口配管１１７、水道水供給配管１１１、スケール排出配管１１２の他方は、図５、図６のようにそれぞれ熱交換器１０８、給湯タンク１０２、水道配管、各家の排水口または供給ラインに接続されるが、ここではこれらは省略する。スケール捕捉器１０９−１０内には付着体保持容器８が装着され、付着体保持容器８には付着体７として粒状のシリコーンゴムが充填されている。付着体保持容器８は金属製のメッシュなどで形成され、付着体を保持しつつ、水、およびスケール粒子が自由に通過できるようになっている。
【００８６】
（剥離機構２１０）
また、スケール捕捉器１０９−１０は、付着体７からスケールを剥離する剥離機構２１０を備えている。剥離機構２１０は、回転軸９、回転羽根１０、回転モータ１１を備える。付着体保持容器８の内部には回転羽根１０を備えた回転軸９が保持され、回転軸９は、スケール捕捉体の上部外側に備えられた回転モータ１１に接続されている。さらに、スケール捕捉器１０９内にはスケール捕捉器入口配管１０６との接続位置よりも下の部分にスケール貯留部６が設けられ、この先にスケール排出配管１１２が接続されている。
【００８７】
次いで、加熱装置１００２の運転動作を、図１７を参照しながら説明する。加熱工程において、実施の形態８と同様に、流路開閉バルブ１１５、１１６を開、流路開閉バルブ１１３、１１４を閉とし、熱交換器１０８で加熱後の高温水を、スケール捕捉器入口配管１０６を通してスケール捕捉器に導入し、付着体保持容器内の付着体と接触させながら通過させる。通過後の水をスケール捕捉器出口配管１１７を通して給湯タンク１０２へ導入する。
【００８８】
また、スケール付着にともない、付着体の捕捉能力が低下した際には、加熱を行わない期間に流路開閉バルブ１１５、１１６を閉とする。そして、回転モータ１１を動作させ、回転羽根１０を回転させる。回転によって、付着体が流動し、回転羽根、付着体保持容器の壁面との衝突、および付着体どうしの衝突等による衝撃によって、付着体に付着していたスケールを剥離させる。所定時間回転を行った後、回転を停止し水を静止することで、付着体から剥離したスケールをスケール貯留部６に沈殿（貯留）させる（貯留工程）。その後、流路開閉バルブ１１３、１１４を開とし、水道水供給配管１１１から水道水を導入し、スケール排出配管１１２から、貯留したスケールを排出する。
【００８９】
本実施の形態１０のように、回転羽根１０を用いて付着体表面と回転羽根の接触、および付着体の流動による付着体と付着体保持容器の衝突や付着体どうしの衝突を起すこと（衝撃の付与）によって、付着体に付着したスケールを付着体から剥離でき、剥離後のスケールを水道水で排出することで、スケール捕捉能力を回復することができる。
【００９０】
図１７では、付着体からスケールを剥離するために、付着体保持容器内で回転羽根を用いたが、これに限るものではない。付着体を流動させ、付着体を付着体保持容器や付着体どうしと衝突させ、そこに付着していたスケールを剥離させることができれば他の方法も用いることができる。例えば、付着体保持容器内に構造物を設置しこれを上下させる、スケール捕捉器の中で付着体保持容器を回転させる、またはスケール捕捉器の中で付着体保持容器を上下させる操作を行っても同等の効果が得られる。
【００９１】
実施の形態１１．
（捕捉器構造：紐状、付着体接触によるスケール剥離（手段：モータによる左右運動）
図１８、図１９を参照して実施の形態１１のスケール捕捉器１０９−１１を説明する。スケール捕捉器１０９−１１（紐状）は、スケール捕捉器１０９−１０（粒状）に対応する。
図１８は、スケール捕捉器１０９−１１の構成を示す図である。スケール捕捉器１０９−１１は、実施の形態９のスケール捕捉器１０９−９１に、剥離機構２２０を設けた構成である。
図１９は、スケール捕捉器１０９−１１を透過した斜視図を模式的に示した図であり、図１０に剥離機構２２０を加えた状態である。説明の便宜のため、剥離機構２２０のうち、移動体１５、接触体１７を記載した。
【００９２】
スケール捕捉器１０９−１１の構成を説明する。図１８のように、スケール捕捉器１０９−１１の内部には、付着体保持容器８が装着され、図１０で説明したように、付着体保持容器８の左右の壁面を橋渡しするような構成で、紐状のシリコーンゴムが充填されている。付着体保持容器８の上部、下部は開放となっており、付着体を保持しつつ、水、スケール粒子が自由に通過できるようになっている。
【００９３】
（剥離機構２２０）
スケール捕捉器１０９−１１は剥離機構２２０を備えている。剥離機構２２０は、回転モータ１１、移動軸１２、回転−直動変換機１３、移動体１５を備えている。図１９に示すように、移動体１５を付着体７の長手方向（図１９のＹ方向）に往復移動し、接触体１７を付着体７と接触した状態で移動させることで、付着体表面についたスケールをこすり落とす。具体的な動作は、次のようである。図１８に示すように、付着体保持容器８の上部には移動軸１２が設置され、ここには移動軸１２を左右に移動する移動体１５、移動体１５を移動させるための回転モータ１１および回転−直動変換機１３が備えられている。また、移動体１５には接触体１７として細長い針金状の金属などがブラシのように多数設置され、付着体７と接触している。それ以外は図１５と同等である。
【００９４】
次いで、加熱装置１００２の運転動作を、図１８を参照しながら説明する。加熱工程において、流路開閉バルブ１１５、１１６を開、流路開閉バルブ１１３、１１４を閉とする。そして、熱交換器１０８で加熱後の高温水を、スケール捕捉器入口配管１０６を通してスケール捕捉器に導入し、付着体保持容器内の付着体と接触させながら通過させる。通過後の水をスケール捕捉器出口配管１１７を通して給湯タンク１０２へ導入する。
【００９５】
また、スケール付着にともない付着体の捕捉能力が低下した際には、加熱を行わない期間に流路開閉バルブ１１５、１１６を閉とする。そして、回転モータ１１を動作させ、移動体１５を左右に移動させる。移動体１５とともに接触体１７を付着体と接触しながら移動させることによって、付着体に付着していたスケールを剥離させる。所定時間、左右移動を繰り返した後、移動を停止して水を静止し、付着体から剥離したスケールをスケール貯留部６に沈殿させる。その後、流路開閉バルブ１１３、１１４を開とし、水道水供給配管から水道水を導入し、スケール排出配管から、貯留したスケールを排出する。
【００９６】
本実施の形態１１のように、移動体１５、接触体１７を用いて付着体表面と接触体の接触、および付着体の揺動による付着体どうしの衝突を起すことによって、付着体に付着したスケールを付着体から剥離できる。また、剥離後のスケールを水道水で排出することで、スケール捕捉能力を回復することができる。
【００９７】
実施の形態１２．
（捕捉器構造：紐状、付着体伸縮によるスケール剥離（手段：モータによる上下運動））
図２０は、スケール捕捉器１０９−１２の構成を示す。図２０を参照して実施の形態１２のスケール捕捉器１０９−１２を説明する。スケール捕捉器１０９−１２は、スケール捕捉器１０９−１１に類似の構成である。スケール捕捉器１０９−１２は、スケール捕捉器１０９−１１と、剥離機構が異なる。スケール捕捉器１０９−１１の剥離機構２２０は接触体が横方向に動いたが、スケール捕捉器１０９−１２では上下方向に動く。
【００９８】
スケール捕捉器１０９−１２の構成を説明する。図２０のように、スケール捕捉器１０９内には、付着体保持容器８が装着され、付着体保持容器の左右の壁面を橋渡しするようなかたちで紐状のシリコーンゴムが充填されている。付着体保持容器８の上部、下部は開放となっており、付着体を保持しつつ、水、スケール粒子が自由に通過できるようになっている。
【００９９】
（剥離機構２３０）
スケール捕捉器１０９−１２は、剥離機構２３０を備える。剥離機構２３０は、回転モータ１１、移動軸１２、回転−直動変換機１３、接触体１７を備える。付着体保持容器８の内部には、移動軸１２が設置され、これには接触体１７、移動軸１２を移動させるための回転モータ１１および回転−直動変換機１３が備えられている。なお、接触体１７は金属製のメッシュなどで形成され、水、およびスケール粒子が自由に通過できるようになっている。それ以外は図１８と同等である。
【０１００】
次いで、加熱装置１００２の運転動作を、図２０を参照しながら説明する。加熱工程において、流路開閉バルブ１１５、１１６を開、流路開閉バルブ１１３、１１４を閉とする。そして、熱交換器１０８で加熱後の高温水を、スケール捕捉器入口配管１０６を通してスケール捕捉器１０９−１２に導入し、付着体保持容器８内の付着体７と接触させながら通過させる。通過後の水をスケール捕捉器出口配管１１７を通して給湯タンク１０２へ導入する。
【０１０１】
また、スケール付着にともない付着体７の捕捉能力が低下した際には、加熱を行わない期間に、流路開閉バルブ１１５、１１６を閉とし、回転モータ１１を動作させ、接触体１７を上下に移動させる。接触体１７の上下移動にともない付着体７を伸縮（弾性変形）させることによって、付着体７に付着していたスケールを剥離させる。
伸縮について、具体的には、以下の様である。図１０で説明したように、付着体７は付着体保持容器８の左右の壁を橋渡しするような形で存在し、かつゴムひものように伸縮（弾性変形）する。この中に接触体１７を配置しておき、あるタイミングで上方に移動させると、接触体１７の上側に接触する付着体７は上に伸びながら移動する（両端は固定のまま）。次に接触体１７を元の位置まで下げると、付着体７は縮みながら元の長さに戻る。このように、接触体１７を上下に移動させると、これに接触する付着体７が伸縮する。付着体表面に付着したスケールは、付着体７の伸縮によって、付着体７の表面から剥がれ落ちる。
所定時間、上下移動を繰り返した後、移動を停止して水を静止し、付着体７から剥離したスケールをスケール貯留部６に沈殿させる。その後、流路開閉バルブ１１３、１１４を開とし、水道水供給配管から水道水を導入し、スケール排出配管から、貯留したスケールを排出する。
【０１０２】
本実施の形態１２のように、接触体１７を用いて付着体表面と接触体１７の接触、および付着体７の伸縮による付着体７と付着体保持容器８の衝突や付着体どうしの衝突を起すことによって、付着体に付着したスケールを付着体から剥離でき、剥離後のスケールを水道水で排出することで、スケール捕捉能力を回復することができる。
【０１０３】
実施の形態１３．
（捕捉器構造：粒状、付着体衝突によるスケール剥離（手段：水流による回転運動））
図２１、図２２を参照して実施の形態１３のスケール捕捉器１０９−１３を説明する。
図２１は、スケール捕捉器１０９−１３の構成を示す。
図２２は、図２１のＺ方向矢視（上面図）である。スケール捕捉器１０９−１３は、実施の形態１０のスケール捕捉器１０９−１０に類似の構成である。スケール捕捉器１０９−１３は、スケール捕捉器１０９−１０に対して、水道水を動力とする。
【０１０４】
スケール捕捉器１０９−１３の構成を説明する。スケール捕捉器１０９−１３は、剥離機構２４０を備える。剥離機構２４０は、回転軸９、回転羽根１０、隔壁１８、回転体１９等を備えている。図２１のように、スケール捕捉器１０９内の上部に隔壁１８が設置される。隔壁１８の上部の空間には、回転軸９と接続した回転体１９が設置される。さらに、隔壁１８の上部の空間には、水道水供給配管１１１、水道水導入配管２０が接続されている。それ以外は図１７と同等である。
【０１０５】
次いで、加熱装置１００２の運転動作を、図２１を参照しながら説明する。加熱工程において、流路開閉バルブ１１５、１１６を開、流路開閉バルブ１１３、１１４を閉とする。そして、熱交換器１０８で加熱後の高温水を、スケール捕捉器入口配管１０６を通してスケール捕捉器に導入し、付着体保持容器内の付着体と接触させながら通過させる。通過後の水をスケール捕捉器出口配管１１７を通して給湯タンク１０２へ導入する。
【０１０６】
また、スケール付着にともない付着体７の捕捉能力が低下した際には、加熱を行わない期間に、流路開閉バルブ１１５、１１６を閉、流路開閉バルブ１１３、１１４を開とし、水道水供給配管１１１から水道水を導入し、水道の流れによって隔壁１８上部の回転体１９を回転させる。この回転によって回転軸９および回転羽根１０を回転させ、付着体７を流動させ、回転羽根１０、付着体保持容器８の壁面との衝突、および付着体どうしの衝突によって、付着体７に付着していたスケールを剥離させる。水道水供給配管１１１から供給した水道水を、水道水導入配管２０を通ってスケール捕捉器１０９の隔壁１８下部の空間に導入し、上記のように回転羽根１０を回転して剥離させながら、この剥離したスケールをスケール貯留部６を通して、スケール排出配管１１２から排出する。
【０１０７】
本実施の形態１３のように、水流と回転羽根１０を用いて付着体表面と回転羽根１０の接触、および付着体７の流動による付着体７と付着体保持容器８の衝突や、付着体どうしの衝突を起すことによって、付着体７に付着したスケールを付着体７から剥離できる。また、剥離後のスケールを水道水で排出することで、剥離に動力を必要とせずに、簡素な装置および低コストでスケール捕捉能力を回復することができる。
【０１０８】
なお、図２１では、付着体７からスケールを剥離するために、付着体保持容器８内で回転羽根１０を用いたが、これに限るものではない。付着体７を流動させ、付着体７を付着体保持容器８や付着体７どうしと衝突させ、そこに付着していたスケールを剥離させることができれば他の方法も用いることができる。例えば、付着体保持容器８内に構造物を設置しこれを上下させる、スケール捕捉器の中で付着体保持容器８を回転させる、またはスケール捕捉器の中で付着体保持容器８を上下させるなどの操作を行っても同等の効果が得られる。
【０１０９】
また、図２１では隔壁１８を用い、ここで回転体１９を回転させるようにしたが、これに限るものではない。水流の作用によって、回転羽根１０を回転させる、あるいは構造物を上下させることができれば、別の構造でも構わない。
【０１１０】
実施の形態１４．
（捕捉器構造：紐状、付着体伸縮によるスケール剥離（手段：水流による上下運動））
図２３は、スケール捕捉器１０９−１４の構成図である。図２３を参照して実施の形態１４のスケール捕捉器１０９−１４を説明する。スケール捕捉器１０９−１４は、実施の形態１２のスケール捕捉器１０９−１２に類似の構成である。スケール捕捉器１０９−１４は、スケール捕捉器１０９−１２に対して、水道水を動力とする。
【０１１１】
スケール捕捉器１０９−１４の構成を説明する。スケール捕捉器１０９−１４は、剥離機構２５０を備える。剥離機構２５０は、移動軸１２、接触体１７、隔壁１８、移動体２１等を備えている。図２３のように、スケール捕捉器１０９−１４内の上部に隔壁１８が設置され、隔壁１８の上部の空間には、移動軸１２と接続した移動体２１が設置される。さらに、隔壁１８の上部の空間には、水道水供給配管１１１、水道水導入配管２０が接続される。それ以外は図２０と同等である。
【０１１２】
次いで、加熱装置１００２の運転動作を、図２３を参照しながら説明する。加熱工程において、流路開閉バルブ１１５、１１６を開、流路開閉バルブ、１１３、１１４を閉とする。そして、熱交換器１０８で加熱後の高温水を、スケール捕捉器入口配管１０６を通してスケール捕捉器１０９−１４に導入し、付着体保持容器８内の付着体７と接触させながら通過させる。通過後の水をスケール捕捉器出口配管１１７を通して給湯タンク１０２へ導入する。
【０１１３】
また、スケール付着にともない付着体７の捕捉能力が低下した際には、加熱を行わない期間に、流路開閉バルブ１１５、１１６を閉、１１３、１１４を開とする。そして、水道水供給配管１１１から水道水を導入し、水道の流れによって隔壁１８上部の移動体２１を上部に押し上げる。この移動体２１の移動によって移動軸１２および接触体１７を上部に押し上げ、付着体７を伸縮（弾性変形）させることによって、付着体７に付着していたスケールを剥離させる。水道水供給配管１１１から供給した水道水を、水道水導入配管２０を通してスケール捕捉器１０９の隔壁１８の下部の空間に導入し、上記のように接触体１７を上部に押し上げ剥離させながら、この剥離したスケールをスケール貯留部６を通って、スケール排出配管１１２から排出する。
【０１１４】
本実施の形態１４のように、水流と接触体１７を用いて付着体表面と接触体１７の接触、および付着体７の伸縮や付着体７どうしの衝突を起すことによって、付着体７に付着したスケールを付着体７から剥離できる。また、剥離後のスケールを水道水で排出することで、剥離に動力を必要とせずに、簡素な装置および低コストでスケール捕捉能力を回復することができる。
【０１１５】
なお、図２３では、付着体７からスケールを剥離するために、付着体保持容器８内で接触体１７を押し上げたが、これに限るものではない。付着体７を伸縮させ、そこに付着していたスケールを剥離させることができれば他の方法も用いることができる。例えば、接触体１７を押し上げるだけでなく、接触体１７を上下させる、また上下の動きを繰り返すなどの操作を行っても同等の効果が得られる。
また、図２３では隔壁１８を用いここで移動体１５を押し上げるようにしたが、これに限るものではなく、水流の作用によって、移動体を移動させることができれば別の構造でも構わない。
【０１１６】
実施の形態１５．
（手動モード、洗浄時期と頻度、付着体材料の補足）
実施の形態１０〜１２では、付着体７からスケールを剥離させる際に回転モータ１１を用い自動で行ったが、これに限るものではない。例えばモータに代えて、手動で回転部分を回転させる、移動部分を上下移動させるような機構を設け、利用者やメンテナンス者が手動で操作を行っても構わない。
【０１１７】
また、実施の形態８〜１４（水道水の流入）では、スケール付着にともない「付着体７の捕捉能力が低下した際」に、スケール捕捉器内の付着体７からスケールを剥離し、水回路外へスケールを排出したが、これに限るものではない。付着体７の捕捉能力が低下しない場合でも、例えば、加熱直後にこの操作を行う、１週間に１回この操作を行うなど、定期的にスケール剥離と排出を行っても構わない。また、給湯タンク１０２の温度や水の流量の変化から、操作すべき時期を推定し、自動的にスケール剥離と排出を行うことも可能で、手動で操作する場合は利用者に操作の時期を知らせてこの操作を行うこともできる。なお、上記の「付着体７の捕捉能力が低下した際」については以下の様である。スケール捕捉器１０９にスケールが捕捉されると、スケール捕捉器１０９の流路抵抗が徐々に増加する。スケール捕捉器１０９の捕捉能力が低下すると、スケールが捕捉されにくくなるため流路抵抗の増加は鈍くなり一定値に近づくので、これから「付着体７の捕捉能力の低下」を判別できる。また、流路抵抗は流量と、スケール捕捉器１０９の前後（加熱水の入口と出口）の圧力の値とから求めることもできる。あるいは、「捕捉能力が低下したと考えられる際」を予め決めておき、そのときにスケールを剥離し、排出してもよい。
【０１１８】
また、実施の形態１〜１４では、付着体７にシリコーンゴムを用いたが、これに限るものではない。スケールとの親和性に優れ、使用する温度条件で変質、破壊がなく、かつ人体に悪影響のない材料であれば用いることができる。例えば、樹脂類としてはポリエチレン、ポリプロピレン、ポリスルフォン、ポリフッ化ビニルデン、ポリアミド、酢酸セルロース、ポリアクリルニトリル、塩化ビニルなどを、ゴム類としてはイソプレンゴム、ブタジエンゴム、ニトリルゴム、エチレンプロピレンゴム、フッ素ゴムなどを、金属としては、銅、アルミニウム、ステンレスなどを、その他材料としてはセルロース（木綿）などを、用いることができる。
【０１１９】
また、実施の形態１〜１４では、粒状、紐状の付着体７を用いたが、これに限るものではなく、水との接触性が高くスケール捕捉器内に保持できる形態であれば用いることができる。例えば、断片状（付着体７が断片状にちぎれたような形状）、繊維状、メッシュ状などを、用いることができる。また、これらの任意の組み合わせを用いてもよい。なお「断片状」とは、断片状にちぎれたような形状であり、例をあげれば、薄いゴム板（０．５〜３，ｍｍ程度）を、正方形や長方形などと規定できる形状ではなく、大体の大きさ（５ｍｍ角位）で「適当な形」に切断したものが挙げられる。
【符号の説明】
【０１２０】
４  整流体、６  スケール貯留部、７  付着体、８  付着体保持容器、９  回転軸、１０  回転羽根、１１  回転モータ、１２  移動軸、１３  回転−直動変換機、１５  移動体、１６  接触体、１７  接触体、１８  隔壁、１９  回転体、２０  水道水導入配管、２１  移動体、２２  隔壁、１０１  熱源、１０２  給湯タンク、１０３  水道配管、１０４  給湯配管、１０５  熱交換器入口配管、１０６  スケール捕捉器入口配管、１０７  循環ポンプ、１０８  プレート型熱交換器、１０９  スケール捕捉器、１１０  循環配管、１１１  水道水供給配管、１１２  スケール排出配管、１１３  流路開閉バルブ、１１４  流路開閉バルブ、１１５  流路開閉バルブ、１１６  流路開閉バルブ、１１７  スケール捕捉器出口配管、１１８  循環配管（２）、１１９  熱交換器（２）、１２０  暖房系、１２１  暖房循環配管、１２２  循環ポンプ（２）、１２３  切替えバルブ、２１０，２２０，２３０，２４０，２５０  剥離機構、３００  中間回路、４００  水回路、１００１，１００２，１００３，１００４  加熱装置。
【図１】
2012176325.tif 000003
【図２】
2012176325.tif 000004
【図３】
2012176325.tif 000005
【図４】
2012176325.tif 000006
【図５】
2012176325.tif 000007
【図６】
2012176325.tif 000008
【図７】
2012176325.tif 000009
【図８】
2012176325.tif 000010
【図９】
2012176325.tif 000011
【図１０】
2012176325.tif 000012
【図１１】
2012176325.tif 000013
【図１２】
2012176325.tif 000014
【図１３】
2012176325.tif 000015
【図１４】
2012176325.tif 000016
【図１５】
2012176325.tif 000017
【図１６】
2012176325.tif 000018
【図１７】
2012176325.tif 000019
【図１８】
2012176325.tif 000020
【図１９】
2012176325.tif 000021
【図２０】
2012176325.tif 000022
【図２１】
2012176325.tif 000023
【図２２】
2012176325.tif 000024
【図２３】
2012176325.tif 000025
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
水を貯めるタンクと熱交換装置とが、前記タンクから前記熱交換装置に向かう水が流れる配管と、前記熱交換装置で加熱され前記熱交換装置から流出して前記タンクに向かう水である加熱水が流れる配管とによって接続された水回路と、
前記タンクに向かう前記加熱水が流れる前記配管の途中に配置されると共にスケールを付着する機能を有するスケール付着体と
を備え、
前記水は、
前記タンクと前記熱交換装置との間を循環することを特徴とする給湯器。
【請求項２】
前記タンクは、
水道水を貯め、
前記熱交換装置は、前記水道水を４０〜９０℃に加熱することを特徴とする請求項１記載の給湯器。
【請求項３】
前記スケール付着体は、
シリコーンゴム、ポリエチレン、ポリプロピレン、ポリスルフォン、塩化ビニル、銅、アルミニウム、ステンレスの少なくともいずれかで構成され、  粒状、紐状、繊維状、メッシュ状の少なくともいずれかの形態を持つことを特徴とする請求項１または２のいずれかに記載の給湯器。
【請求項４】
前記スケール付着体は、
前記熱交換装置によって５０℃以上に加熱された前記加熱水が通されることを特徴とする請求項１〜３のいずれかに記載の給湯器。
【請求項５】
前記給湯器は、
前記水回路の途中に配置され、前記水を循環させるポンプと、
前記ポンプを制御することにより、少なくとも前記熱交換装置の内部を通過中の前記水に、脈動を生じさせる制御装置と
を備えたことを備えたことを特徴とする請求項１〜４のいずれかに記載の給湯器。
【請求項６】
前記給湯器は、さらに、
前記タンクに向かう前記加熱水が流れる前記配管の途中に配置され、前記スケール付着体を収納する収納容器と、前記加熱水の前記収納容器への導入を停止する停止部と、
前記停止部によって前記加熱水の前記収納容器への導入が停止されているときに、スケールが付着した前記スケール付着体からスケールを剥離する剥離部と、
前記停止部によって前記加熱水の前記収納容器のへの導入が停止されているときに、前記剥離部によって剥離されたスケールを前記収納容器の外部に排出する排出部と
を備えたことを特徴とする請求項１〜５のいずれかに記載の給湯器。
【国際調査報告】
2012176325.tif 000026
2012176325.tif 000027
2012176325.tif 000028
2012176325.tif 000029